(57)【要約】  通信システム用コネクタは、ワイヤの位置と長さをコントロールすることによって、漏話の好ましいレベルを実現する。通信システム用コネクタは、プラグハウジングの後端で開口するとともに、ハウジング壁によって規定された内部チャンバを有している。複数のスロットは、その前端に隣接するハウジング壁の一つを通過して、内部チャンバ内まで延在している。複数の断熱配置接触部は、待機位置と、内部チャンバ内まで延在する挿入位置との間を動くよう、スロット内に取り付けられている。第一挿入部は、内部チャンバ内に配置されている。第一挿入部は、プラグハウジングの前記前端近傍の前端を有している。第一通路は、第一挿入部の前端から第一挿入部の後端まで延在している。前端に隣接する第一挿入壁内の複数の開口は、プラグハウジング内の複数のスロットとともに配列され、第一通路内まで延在している。第二挿入部は、内部チャンバ内に部分的に配置され、第一挿入部の後端近傍の前端を有している。第二挿入部は、第二挿入部の後端から前端まで延びる第一、第二、第三および第四チャネルを有している。四つのワイヤ対は、ケーブル鞘から延びている。各ワイヤ対は、第二挿入部の第一、第二、第三および第四チャネルの一つを通過し、第一通路を通過して、内部チャンバ内の断熱配置接触部まで達している。
2007518245.tif 000002
【特許請求の範囲】
【請求項１】
通信システム用コネクタにおいて、
前端および後端と、前記後端で開口するとともにハウジング壁によって規定された内部チャンバと、前記前端に隣接する前記ハウジング壁の一つを通過して前記内部チャンバ内まで延在する複数のスロットとを有するプラグハウジングと、
前記内部チャンバから離間した待機位置と、前記内部チャンバ内まで延在する挿入位置との間を動くよう、前記スロット内に取り付けられた、複数の断熱配置接触部と、
前記内部チャンバ内に配置され、前記プラグハウジングの前記前端近傍の前端と、前端から後端まで延在する第一通路と、前記前端に隣接し、前記プラグハウジング内の前記複数のスロットに並んで配列され、前記第一通路内まで延在する第一挿入壁内の複数の開口とを有する第一挿入部と、
前記内部チャンバ内に配置され、前記第一挿入部の後端近傍の前端を有し、後端から前記前端まで延びる第一、第二、第三および第四チャネルを有する第二挿入部と、
ケーブル鞘から延在し、各々が前記第二挿入部の前記第一、第二、第三および第四チャネルの一つを通過し、前記第一通路を通過して、前記内部チャンバ内の前記断熱配置接触部まで達する四つのワイヤ対と、
を備えたことを特徴とする通信システム用コネクタ。
【請求項２】
前記プラグは、ＲＪ−４５からなることを特徴とする請求項１記載の通信システム用コネクタ。
【請求項３】
第二挿入部の前記後端は、前記プラグハウジングの後端を超えて延在することを特徴とする請求項１記載の通信システム用コネクタ。
【請求項４】
前記第二挿入部の前記後端は、前記プラグハウジングの前記内部チャンバ内にあることを特徴とする請求項１記載の通信システム用コネクタ。
【請求項５】
前記プラグハウジングから延在するラッチが、前記プラグハウジングの前記後端を超えて延在することを特徴とする請求項１記載の通信システム用コネクタ。
【請求項６】
第三挿入部が、前記ケーブル鞘内で四つの区画を提供するよう、ケーブル鞘内に配置されることを特徴とする請求項１記載の通信システム用コネクタ。
【請求項７】
前記第二挿入部の前記第一、第二、第三および第四チャネルは、略平行であることを特徴とする請求項１記載の通信システム用コネクタ。
【請求項８】
前記第二および第三チャネルは、前記第一および第二チャネルの間にあることを特徴とする請求項１記載の通信システム用コネクタ。
【請求項９】
前記第二チャネルは、前記第三チャネルの上方にあることを特徴とする請求項１記載の通信システム用コネクタ。
【請求項１０】
外方被覆が、前記第一挿入部の第一部分、前記第二挿入部および前記ケーブル鞘の第二部分の周りに配置されることを特徴とする請求項１記載の通信システム用コネクタ。
【請求項１１】
前記外方被覆は、低温、低圧外方被覆からなることを特徴とする請求項１０記載の通信システム用コネクタ。
【請求項１２】
前記四つのワイヤ対の各ワイヤは、前記プラグハウジングの前記前端で、略軸方向に配置されることを特徴とする請求項１記載の通信システム用コネクタ。
【請求項１３】
内方ワイヤ対および外方ワイヤ対は、前記第二挿入部をねじれて貫通し、
第一および第二内方ワイヤ対は前記第二挿入部をねじれないで貫通することを特徴とする請求項１２記載の通信システム用コネクタ。
【請求項１４】
前記第一および第二挿入部は、非伝導性材料からなることを特徴とする請求項１記載の通信システム用コネクタ。
【請求項１５】
前記第一および第二挿入部は、誘電材料からなることを特徴とする請求項１記載の通信システム用コネクタ。
【請求項１６】
前記第一挿入部および第二挿入部は、ポリカーボネート材料からなることを特徴とする請求項１記載の通信システム用コネクタ。
【請求項１７】
前記ケーブル鞘は、前記第二挿入部の前記後端近傍の前記第二挿入部上のショルダーに隣接することを特徴とする請求項１記載の通信システム用コネクタ。
【請求項１８】
前記ケーブル鞘は、前記第二挿入部の前記後端に隣接することを特徴とする請求項１記載の通信システム用コネクタ。
【請求項１９】
通信システム用コネクタにおいて、
内部通路内に四つのねじれたワイヤ対を含むケーブル鞘と、
前記ケーブル鞘内で、前記ケーブル鞘の内部通路を四つの区画に分割し、各区画が前記四つのねじれたワイヤ対の一対を含む第三挿入部と、
前端および後端と、前記後端で開口するとともにハウジング壁によって規定された内部チャンバと、前記前端に隣接する前記ハウジング壁の一つを通過して前記内部チャンバ内まで延在する複数のスロットとを有するプラグハウジングと、
前記内部チャンバから離間した待機位置と、前記内部チャンバ内まで延在する挿入位置との間を動くよう、前記スロット内に取り付けられた、複数の断熱配置接触部と、
前記内部チャンバ内に配置され、前記プラグハウジングの前記前端近傍の前端と、前端から後端まで延在する第一通路と、前記前端に隣接し、前記プラグハウジング内の前記複数のスロットに並んで配列され、前記第一通路内まで延在する第一挿入壁内の複数の開口とを有する第一挿入部と、
前記内部チャンバ内に配置され、前記第一挿入部の後端近傍の前端を有し、前記前端から後端まで延びる第一、第二、第三および第四チャネルを有し、前記ケーブル鞘が後端に隣接する第二挿入部と、
前記第二挿入部の前記第一、第二、第三および第四チャネルを通過し、前記第一挿入部の前記第一通路を通過して前記内部チャンバ内の前記断熱配置接触部まで達する各ワイヤ対と、
前記第一挿入部の第一部、前記第二挿入部および前記ケーブル鞘の第二部分の周りに配置された外方被覆と、
を備えたことを特徴とする通信システム用コネクタ。
【請求項２０】
前記ケーブル鞘は、前記プラグハウジング外方であって、前記第二挿入部の前記後端に隣接することを特徴とする請求項１９記載の通信システム用コネクタ。
【請求項２１】
前記ケーブル鞘は、前記プラグハウジングの前記内部チャンバ内で、前記第二挿入部の前記後端に隣接することを特徴とする請求項１９記載の通信システム用コネクタ。
【請求項２２】
前記ケーブル鞘は、前記プラグハウジングの前記第二挿入部外方の前記後端近傍のショルダーに隣接することを特徴とする請求項１９記載の通信システム用コネクタ。
【請求項２３】
前記プラグは、ＲＪ−４５からなることを特徴とする請求項１９記載の通信システム用コネクタ。
【請求項２４】
前記プラグハウジングから延在するラッチが、前記プラグハウジングの前記後端を超えて延在することを特徴とする請求項１９記載の通信システム用コネクタ。
【請求項２５】
前記第二挿入部の前記第一、第二、第三および第四チャネルは、略平行であることを特徴とする請求項１９記載の通信システム用コネクタ。
【請求項２６】
前記第二および第三通路は、前記第一および第二チャネルの間にあることを特徴とする請求項１９記載の通信システム用コネクタ。
【請求項２７】
前記第二チャネルは、前記第三チャネルの上方にあることを特徴とする請求項１９記載の通信システム用コネクタ。
【請求項２８】
前記四つのワイヤ対の各ワイヤは、前記プラグハウジングの前記前端で、略軸方向に配置されることを特徴とする請求項１９記載の通信システム用コネクタ。
【請求項２９】
内方ワイヤ対および外方ワイヤ対は、前記第二挿入部をねじれて貫通し、
第一および第二内方ワイヤ対は前記第二挿入部をねじれないで貫通することを特徴とする請求項２８記載の通信システム用コネクタ。
【請求項３０】
前記第一および第二挿入部は、非伝導性材料からなることを特徴とする請求項１９記載の通信システム用コネクタ。
【請求項３１】
前記第一挿入部および第二挿入部は、ポリカーボネート材料からなることを特徴とする請求項１９記載の通信システム用コネクタ。
【請求項３２】
前記第一および第二挿入部は、誘電材料からなることを特徴とする請求項１９記載の通信システム用コネクタ。
【請求項３３】
前記第二挿入部の前記後端は、前記ケーブル鞘内まで延びることを特徴とする請求項２２記載の通信システム用コネクタ。
【請求項３４】
前記外方被覆は、低温、低圧外方被覆からなることを特徴とする請求項２２記載の通信システム用コネクタ。
【請求項３５】
前記外方被覆は、前記プラグハウジング上のラッチを妨げることを防止する外方に延在する突起部を有することを特徴とする請求項２２記載の通信システム用コネクタ。
【請求項３６】
前記第三挿入部は略Ｘ形状からなることを特徴とする請求項２２記載の通信システム用コネクタ。
【請求項３７】
通信システム用コネクタを作るためのキットにおいて、
前端および後端と、前記後端で開口するとともにハウジング壁によって規定された内部チャンバと、前記前端に隣接する前記ハウジング壁の一つを通過して前記内部チャンバ内まで延在する複数のスロットとを有するプラグハウジングと、
前記内部チャンバから離間した待機位置と、前記内部チャンバ内まで延在する挿入位置との間を動くよう、前記スロット内に取付可能な複数の断熱配置接触部と、
前記内部チャンバ内に配置することができ、前記プラグハウジングの前記前端近傍の前端と、前端から後端まで延在する第一通路と、前記前端近傍に配置することができ、前記プラグハウジング内の前記複数のスロットと並んで配列され、前記第一通路内まで延在する第一挿入壁内の複数の開口とを有する第一挿入部と、
前記第一挿入部の後端近傍の前端を有するよう前記内部チャンバ内に配置可能であり、前記前端から前記後端まで延びる第一、第二、第三および第四チャネルを有し、前記ケーブル鞘が前記プラグハウジング外方であって、前記後端近傍のショルダーに対して隣接可能である第二挿入部と、
を備えたことを特徴とするキット。
【請求項３８】
前記プラグは、ＲＪ−４５からなることを特徴とする請求項３７記載の通信システム用コネクタ。
【請求項３９】
前記第二挿入部の後端は、前記プラグハウジングの後端を超えて延在することを特徴とする請求項３７記載の通信システム用コネクタ。
【請求項４０】
前記プラグハウジングから延在するラッチが、前記プラグハウジングの前記後端を超えて延在することを特徴とする請求項３７記載の通信システム用コネクタ。
【請求項４１】
前記第二挿入部の前記第一、第二、第三および第四チャネルは、略平行であることを特徴とする請求項３７記載の通信システム用コネクタ。
【請求項４２】
前記第二および第三チャネルは、前記第一および第二チャネルの間にあることを特徴とする請求項３７記載の通信システム用コネクタ。
【請求項４３】
前記第二チャネルは、前記第三チャネルの上方にあることを特徴とする請求項３７記載の通信システム用コネクタ。
【請求項４４】
前記第一および第二挿入部は、非伝導性材料からなることを特徴とする請求項１記載の通信システム用コネクタ。
【請求項４５】
前記第一挿入部および第二挿入部は、ポリカーボネート材料からなることを特徴とする請求項１記載の通信システム用コネクタ。
【請求項４６】
前記第一および第二挿入部は、誘電材料からなることを特徴とする請求項１記載の通信システム用コネクタ。
【請求項４７】
通信システム用コネクタにおいて、
内部通路内に四つのねじれたワイヤ対を含むケーブル鞘と、
前記ケーブル鞘内で、前記ケーブル鞘の内部通路を四つの区画に分割し、各区画がねじれたワイヤ対の一対を含む第三挿入部と、
前端および後端と、前記後端で開口するとともにハウジング壁によって規定された内部チャンバと、前記前端に隣接する前記ハウジング壁の一つを通過して前記内部チャンバ内まで延在する複数のスロットとを有するプラグハウジングと、
前記内部チャンバから離間した待機位置と、前記内部チャンバ内まで延在する挿入位置との間を動くよう、前記スロット内に取り付けられた、複数の断熱配置接触部と、
前記内部チャンバ内に配置され、前記プラグハウジングの前記前端近傍の前端と、前端から後端まで延在する第一通路と、前記前端に隣接し、前記プラグハウジング内の前記複数のスロットに並んで配列され、前記第一通路内まで延在する第一挿入壁内の複数の開口とを有する第一挿入部と、
前記内部チャンバ内に配置され、前記第一挿入部の後端近傍の前端を有し、前記前端から後端まで延びる第一、第二、第三および第四チャネルを有し、前記ケーブル鞘が前記後端に隣接する第二挿入部と、
前記第二挿入部の前記第一、第二、第三および第四チャネルを通過し、前記第一挿入部の前記第一通路を通過して前記内部チャンバ内の前記断熱配置接触部まで達し、前記第一および第四チャネルをねじれて通過し、前記第二および第三チャネルをねじれないで通過し、前記第一挿入部内の前記第一通路をねじれないで通過する各ワイヤ対と、
前記第一挿入部の第一部、前記第二挿入部および前記ケーブル鞘の第二部分の周りに配置された外方被覆と、
を備えたことを特徴とする通信システム用コネクタ。
【請求項４８】
前記プラグは、ＲＪ−４５からなることを特徴とする請求項４７記載の通信システム用コネクタ。
【請求項４９】
前記プラグハウジングから延在するラッチが、前記プラグハウジングの前記後端を超えて延在することを特徴とする請求項４７記載の通信システム用コネクタ。
【請求項５０】
前記ケーブル鞘は、前記プラグハウジングの前記内部チャンバ内で、第二挿入部の後端に隣接することを特徴とする請求項４７記載の通信システム用コネクタ。
【請求項５１】
前記ケーブル鞘は、前記プラグハウジングの第二挿入部の後端に、外方で隣接することを特徴とする請求項４７記載の通信システム用コネクタ。
【請求項５２】
前記第二挿入部の前記第一、第二、第三および第四チャネルは、略平行であることを特徴とする請求項４７記載の通信システム用コネクタ。
【請求項５３】
前記第二および第三チャネルは、前記第一および第二チャネルの間にあることを特徴とする請求項４７記載の通信システム用コネクタ。
【請求項５４】
前記第二チャネルは、前記第三チャネルの上方にあることを特徴とする請求項４７記載の通信システム用コネクタ。
【請求項５５】
前記四つのワイヤ対の各ワイヤは、前記プラグハウジングの前記前端で、略軸方向に配置されることを特徴とする請求項４７記載の通信システム用コネクタ。
【請求項５６】
前記第一および第二挿入部は、非伝導性材料からなることを特徴とする請求項４７記載の通信システム用コネクタ。
【請求項５７】
前記第一挿入部および第二挿入部は、ポリカーボネート材料からなることを特徴とする請求項４７記載の通信システム用コネクタ。
【請求項５８】
前記第一および第二挿入部は、誘電材料からなることを特徴とする請求項４７記載の通信システム用コネクタ。
【請求項５９】
前記ケーブル鞘は、前記第二挿入部の前記後端近傍の前記第二挿入部上のショルダーに隣接することを特徴とする請求項４７記載の通信システム用コネクタ。
【請求項６０】
前記外方被覆は、低温、低圧外方被覆からなることを特徴とする請求項４７記載の通信システム用コネクタ。
【請求項６１】
前記外方被覆は、前記プラグハウジング上のラッチを妨げることを防止する外方に延在する突起部を有することを特徴とする請求項４７記載の通信システム用コネクタ。
【請求項６２】
前記第三挿入部は、略Ｘ形状からなることを特徴とする請求項４７記載の通信システム用コネクタ。
【請求項６３】
通信システム用プラグの組立方法において、
ねじれていない状態から十分にねじれた状態まで範囲で、ねじれの程度を選択することによって、ケーブル鞘から延在する四つのねじれたワイヤ対のうち二つをコントロールする工程と、
ねじれた二つのワイヤ対と、コントロールされた二つのワイヤ対の各々を、第二挿入部内のチャネルで通過させる工程と、
四つのねじれていないワイヤ対を形成するよう、ねじれたワイヤのねじれを解く工程と、
ねじれていないワイヤの各々を、第一挿入部の通路内の谷で通過させる工程と、
第一挿入部を、プラグハウジングの内部チャンバ内に挿入する工程と、
スロットを有する第一挿入部内の開口を、プラグハウジング内に配列する工程と、
断熱配置接触部を、プラグハウジング内のスロットおよび第一挿入部内の配列した開口の一つを通過して挿入させることによって、断熱配置接触部を各ワイヤと係合させる工程と、
を備えたことを特徴とする通信システム用プラグの組立方法。
【請求項６４】
ねじれた二つのワイヤ対と、コントロールされた二つのワイヤ対の各々を、第二挿入部内のチャネルで通過させる工程は、コントロールされた二つのワイヤ対を内部チャンバで通過させる工程と、ねじれた二つのワイヤ対を外部チャネルで通過させる工程とを有することを特徴とする請求項６３記載の通信システム用プラグの組立方法。
【請求項６５】
ワイヤの各々を、第一挿入部の通路内の谷で通過させる工程は、ワイヤが略軸方向に配列するよう、各ワイヤを谷で通過させる工程を有することを特徴とする請求項６３記載の通信システム用プラグの組立方法。
【請求項６６】
ケーブル鞘の内部通路を四つの区画に分割するよう、第三挿入部をケーブル鞘内で通過させる工程と、
四つのねじれたワイヤ対の各対を、ケーブル鞘内の四つの区画の一つで通過させる工程と、
をさらに備えたことを特徴とする請求項６３記載の通信システム用プラグの組立方法。
【請求項６７】
第二挿入部の後端をケーブル鞘に隣接する工程をさらに備えたことを特徴とする請求項６３記載の通信システム用プラグの組立方法。
【請求項６８】
第一挿入部の後端を、前記第二挿入部の前端に実質的に隣接させる工程をさらに備えたことを特徴とする請求項６３記載の通信システム用プラグの組立方法。
【請求項６９】
通信システム用コネクタにおいて、
ケーブル鞘とプラグハウジングの間を延在し、ケーブル鞘とプラグハウジングを部分的に覆う外方被覆と、
前記プラグハウジングから延在するラッチと、
前記ラッチが妨げることを防ぐよう、外方被覆から外方に延在する突起部と、
を備えたことを特徴とする通信システム用コネクタ。
【請求項７０】
前記突起部は、前記外方被覆と一体に形成されることを特徴とする請求項６９記載の通信システム用コネクタ。
【請求項７１】
前記外方被覆は、低温、低圧外方被覆からなることを特徴とする請求項６９記載の通信システム用コネクタ。
【発明の詳細な説明】
【技術分野】
【０００１】
本発明は、プラグハウジング内に第一および第二挿入部を有し、必要なレベルの漏話を達成するための通信用コネクタに関する。とりわけ、本発明は、ケーブル鞘内のワイヤの分離やねじれを維持するだけでなく、ケーブル鞘と第一挿入部との間のワイヤ長さをコントロールするためのケーブル鞘に隣接する第二挿入部を有する通信用コネクタに関する。さらにとりわけ、本発明は、漏話をコントロールし、ひずみを解消するための外方被覆を有する通信用コネクタに関する。
【背景技術】
【０００２】
通信システムにおいて、信号は均等にねじれたワイヤ対を有するケーブル上を伝送される。典型的なケーブルは、その中に、四つのワイヤ対を有している。ワイヤを他のケーブルや、他の装置に連結するために、コネクタがケーブルの端部に取り付けられている。コネクタは、ケーブルとワイヤが所定の取付のために適切な長さに切断された後で取り付けることができるけれども、使用のためにテストされ適格化するよう、高い性能のコネクタがコントロールされた環境で組み立てられることが好ましい。
【０００３】
電気通信やデータ送信が進歩したため、コネクタ、とりわけプラグを含むコネクタは、新しく、高い周波数でデータ転送をうまく行うには致命的な障害になっている。ある性能特性、とりわけ近端漏話やリターンロスは、これらの高い周波数では許容できるレベルを下回っている。
【０００４】
この漏話問題を解決する一つの方法は、信号線間の空隙を大きくすることである。他の方法は、個々の信号線を遮蔽することである。しかしながら、多くの場合、ワイヤが先に存在し、標準が配置を規定し、それらのシステムをこのように変化させるコネクタのためにピンを規定するにはコストがかかりすぎるためできない。通信システムのこのような特別な状況において、遮蔽されていないねじれたワイヤケーブル対は唯一の実用的代替手段である。
【０００５】
電気信号が、単数または複数の他の信号線に近い信号線やワイヤ上を流れるとき、一つの信号からのエネルギーが、二つの信号線の間の電圧と、電場が変わることによって生成される磁場とによって、隣接する信号と連結することができる。容量性であろうと誘導性であろうと、この連結が漏話と呼ばれ、連結が二つ以上の信号線で起こる。漏話はノイズ信号であり、シグナルとノイズの差（ｓ／ｎ）を低減させる。通信システムにおいて、低減したｓ／ｎ差は、信号線で伝達される情報のエラー率を向上させることになる。
【０００６】
モジュール式プラグに要求される性能は、ANSI/TIA/EIA-568-B, "Commercial Building Telecommunications Cabling Standard"に定義されている。その標準に対するカテゴリー６のAddendum TIA-568-B. 2-1内において、許容できる性能範囲が、セクションE. 3.2.2で詳述され、テーブルE. 3に要約されている。
【０００７】
さらに、通信システムにおいて、コネクタ配列やピン配列の規定を定義づける所定の標準が開発されている。これらの標準は、高いスピードデータ通信に対する必要に先駆けて作られ、ワイヤコネクタの大きな設置基板を形成した。さらに、これらの標準は、高速通信の要求を維持するとともに、従来のコネクタのコンパクトさを維持することができるコネクタに対する必要性を作り出している。
【０００８】
標準的なコネクタ配列およびピン配列によって、高い信号周波数で大きな漏話をもたらしうる。この問題に取り組むコネクタは、Klas et alによる米国特許No.5,432,484と、Rose et alによる米国特許No.5,414,393を含み、これらの主題は、全体で、本願に参照として盛り込まれる。
【０００９】
全体で、本願に参照として盛り込まれるMilner et alによる米国特許No.6,080,007は、通信システム用のコネクタを開示している。しかしながら、後方スレッド３４（図４）は、各ワイヤが通過する個々の導管を提供する。さらに、後方スレッドの後端は、プラグハウジングの後端と同一平面になっており、ケーブル鞘と後方スレッドの間の距離をコントロールすることができない。
【００１０】
Chenによる米国特許No.6,439,920は高速送信のための電気コネクタを開示している。ケーブル鞘３０（図３）の端部は、ワイヤが挿入トンネル６１−６４（図２）に入りこむ位置から分離されており、挿入部は挿入部を通過するワイヤが離れることを禁止することによって、漏話レベルがコントロールされることを妨げる。
【００１１】
上述で引用された特許の発明によって提供される漏話の低減に加え、ケーブルワイヤとコネクタ、とりわけプラグコネクタの間の連結によって発生する漏話が重要になる。ワイヤの配置を換えることによって、漏話の量は変わる。さらに、断熱配置接触部による終端を容易にするために、ワイヤはコネクタ内で正確に配置されなければならない。
【００１２】
このように、通信システムのための改善されたコネクタを提供する必要は継続している。
【発明の開示】
【発明が解決しようとする課題】
【００１３】
（本発明の要約）
従って、通信システムのための改善されたコネクタを提供することが、本発明の主な目的である。
【００１４】
本発明のさらなる目的は、漏話レベルをコントロールするための改善されたコネクタを提供することである。
【００１５】
本発明のよりさらなる目的は、ケーブル鞘の端部とコネクタのスレッド挿入部との間の距離をコントロールするためのコネクタを提供することである。
【００１６】
本発明のさらに別の目的は、ケーブル鞘とスレッド挿入部との間のケーブル鞘内のワイヤの分離とねじれを維持するためのコネクタを提供することである。
【００１７】
本発明の別の目的は、さらに漏話レベルをコントロールし、ケーブルのひずみ開昭を提供する外方被覆を有するコネクタを提供することである。
【課題を解決するための手段】
【００１８】
上述した目的は、ワイヤの位置と長さをコントロールすることによって、好ましい漏話レベルを提供する通信システム用コネクタ、キットおよびコネクタを形成する方法によって、基本的には達成される。コネクタは、前端および後端を有するプラグハウジングを有している。内部チャンバは、プラグハウジングの後端で開口するとともに、ハウジング壁によって規定されている。複数のスロットは、前端に隣接するハウジング壁の一つを通過して、内部チャンバ内まで延在している。複数の断熱配置接触部は、内部チャンバから離間した待機位置と、内部チャンバ内まで延在する挿入位置との間を動くよう、スロット内に取り付けられている。第一挿入部は、内部チャンバ内に配置されている。第一挿入部は、プラグハウジングの前端近傍の前端を有している。第一通路は、第一挿入部の前端から第一挿入部の後端まで延在している。第一挿入壁内の複数の開口は、前端に隣接し、プラグハウジング内の複数のスロットとともに配列され、第一通路内まで延在している。第二挿入部は、内部チャンバ内に部分的に配置され、第一挿入部の後端近傍の前端を有している。第二挿入部は、第二挿入部の後端から前端まで延びる第一、第二、第三および第四チャネルを有している。四つのワイヤ対は、ケーブル鞘から延在している。各ワイヤ対は、第二挿入部の第一、第二、第三および第四チャネルの一つを通過し、第一通路を通過して、内部チャンバ内の断熱配置接触部まで達している。第一および第二挿入部は、プラグハウジング内でケーブル鞘と断熱配置接触部との間におけるワイヤの位置と長さをコントロールすることによって、漏話レベルをコントロールする。
【００１９】
本発明の他の目的、利点および顕著な特徴は、後述する詳細な記載から明らかになり、当該詳細な記載は、添付された図面とともに、本発明の好ましい実施の形態を開示している。
【発明を実施するための最良の形態】
【００２０】
図１乃至図２０に示すように、本発明は、通信システムのためのコネクタ１１に関する。コネクタ１１は、前端２２と後端２３とを有するプラグハウジング２１を有している。内部チャンバ２４は、プラグハウジング２１の後端２３で開口し、ハウジング壁によって規定されている。複数のスロット３１は、前端２２に隣接するハウジング壁の一つを通過して、内部チャンバ２４内まで延在している。複数の断熱配置接触部４１は、内部チャンバ２４から間隙を置いて待機位置（図１）と、内部チャンバ内に延在する挿入位置（図２及び図３）との間を動くよう、スロット内に取り付けられている。
【００２１】
第一挿入部５１は、内部チャンバ２４内に配置されている。第一挿入部５１は、プラグハウジング２１の前端２２近傍の前端５２を有している。第一通路５３は、挿入部５１の前端５２から、第一挿入部の後端５４まで延在している。前端５２に隣接する第一挿入壁内の複数の開口５７は、プラグハウジング内の複数のスロット３１とともに配列し、第一通路５３内まで延在している。
【００２２】
第二挿入部６１は、内部チャンバ２４内に部分的に配置され、第一挿入部の後端５４近傍の前端６２を有している第二挿入部６１の後端６３は、プラグハウジングの後端２３を超えて延在している。第二挿入部６１は、前端６２から第二挿入部の後端６３まで延在する第一、第二、第三及び第四チャネル６５−６８を有している（図１３−図１５）。
【００２３】
ケーブル７１は、ケーブル鞘７２の端部７３から延びる四つのワイヤ対を有している。各ワイヤ対は、第二挿入部６１の第一、第二、第三及び第四チャネル６５−６８の一つを通過し、第一通路５３を通過して、内部チャンバ２４内の断熱配置接触部４１まで達している。第一層入部５１と第二挿入部６１は、ケーブル鞘７１の端部７２とプラグハウジング２１内の断熱配置接触部４１との間のワイヤの位置や長さをコントロールすることによって、漏話レベルをコントロールする。
【００２４】
図４−図６に示すように、プラグハウジング２１は、前端２２と後端２３を有している。内部チャンバ２４はハウジング２１の後端２３で開口し、ハウジング壁によって規定されている。プラグハウジング２１の前端２２と後端２３は、上壁２５、底壁２６及び側壁２７，２８によって連結されている。複数のスロット３１は、前端２２に隣接するハウジング壁の一つを通過し、内部チャンバ２４内まで延在している。図１に示すように、スロット３１は、プラグハウジング２１の上壁２５内であって、内部チャンバ２４内まで下方へ延在することが好ましい。８個のスロット３１−３８があることが好ましい（図５及び図６参照）。従来からあるラッチ２９は、プラグハウジングを、容易にジャック（図示せず）のような容器に挿入したり、取り除いたりするよう、ハウジングに連結されている。図１−図５に示すように、ラッチ２９は、プラグハウジング２１の後端２３を超えて、後方に延在していることが好ましい。プラグはＲＪ４５タイプからなることが好ましい。プラグハウジング２１は、標準的なＲＪ４５プラグハウジングの約半分の長さである短いハウジングからなることが好ましい。
【００２５】
複数の断熱配置接触部４１は、内部チャンバ２４から離れた待機位置（図１）と、内部チャンバ内に延在する挿入位置（図２及び図３）との間を動くよう、スロット３１内に取り付けられている。プラグハウジング２１の各スロット３１は、断熱配置接触部４１を収容することが好ましい。図７に示すように、各断熱配置接触部４１は、ヘッド端部４３、歯端部４２及び接続部４５を有している。図１に示すように、組み立てる前に、各接触部は待機位置にあり、歯端部４２が内部チャンバ２４外方にある。図２及び図３に示すように、ケーブルワイヤが取り付けられた後、第一挿入部５１がプラグハウジング２１の内部チャンバ２４内に挿入され、歯端部４２が断熱ワイヤ内のコンダクタと係合し、機械的及び電気的に接触するよう、各接触部３１が下方挿入位置まで移動してもよい。挿入位置において、ヘッド端部４３の下方断面は、プラグハウジングのショルダー４６と係合する。各断熱配置接触部の歯端部４２は、図１に示す二つの歯のバージョンや、図７に示す三つの歯のバージョンのように、スロット３１下方に配置されたワイヤに侵入する複数の歯を有してもよい。
【００２６】
第一挿入部５１、すなわちスレッドは、図９−図１２に示すように、プラグハウジング２１の内部チャンバ２４内に配置されている。図２及び図３に示すように、第一挿入部は、内部チャンバ２４内に十分に挿入されたとき、プラグハウジングの前端２２近傍の前端５２を有している。第一通路５３は、第一挿入部５１の前端５２から、後端５４まで延在している。上壁５５は前端５２と後端５４との間で延在している。上壁５５は、第一挿入部の後端５４近傍の傾斜部５６を有している。図１０に示すように、通路５３は、上壁の方向に従う。すなわち、後端５４近傍の通路５３の一部もまた傾斜している。通路５３の傾斜部５８は、挿入部５１の前端５２で、全てのワイヤが略平行で、略同平面になるよう、第二挿入部内の離れたワイヤを徐々に下方に向かわせることができる。複数の開口５７は、上壁５５から第一通路５３内まで延びている。第一挿入部内には、プラグハウジング２１内の８つのスロット３１に対応する８つの開口５７があることが好ましい。前端５２に隣接する第一挿入部の上壁５５内の開口５７は、プラグハウジング内の複数のスロット３１とともに配列し、前記第一通路内まで延在している。通路５３は、さらに谷１９に分割されている。図１２に示すように、８つのワイヤのプラグに対して、８つの谷１９Ａ−１９Ｈが存在している。
【００２７】
第二挿入部６１、すなわちワイヤスペーサは、図１３−１７に示すように、プラグハウジングの内部チャンバ２４内に、部分的に配置されており、第一挿入部の後端５４近傍の前端６２を有している。第二挿入部６１の後端６３は、プラグハウジングの後端２３を超えて延在している。また、第二挿入部６１の後端６３は、プラグハウジング２１の内部チャンバ２４内にある。第二挿入部６１は、リブによって結合される二つのＬ型の断面６０，６９に概ね似ており、前端６２から後端６３まで延びる四つのチャネル６５−６８を形成している。各チャネル６５−６８は開口しており、すなわち、チャネルのいずれも、第二挿入部６１内で完全に閉鎖されていない。チャンネル６５，６８は外部チャネルであり、チャネル６６，６７は内部チャネルであることが好ましい。内部チャネル６６，６７は、リブ６４の上方と下方に配置され、レッグ６０，６９はチャネルの壁面を形成する。各チャネルは、一対のワイヤがチャネル内を通過するように収容する。チャネルの間隙によって、コネクタ１１内の漏話を容易に好ましいレベルにすることができる。各レッグ６０，６９は、図１６に示すように、第二挿入部６１の後端６３において、各々、ショルダー９０，９１を有している。レッグ６０，６９は、ショルダー９０，９１を超えたリブ６４に向かって、内方に先が細くなっているため、図２に示すように、ショルダーを超えた第二挿入部６１の後部を、ケーブル鞘７１内に収容することができる。ショルダー９０，９１によって、第二挿入部６１は、ケーブル鞘７１の端部７３と第一挿入部５１の間の距離をコントロールすることができるので、コネクタ１１内の漏話を、より容易に好ましいレベルにすることができる。また、ケーブル鞘７１の端部７３は、第二挿入部６１の後端に隣接し、すなわち、第二挿入部はケーブル鞘内に収容されていない。
【００２８】
ケーブル７１は、図１８に示すように、ケーブル鞘７２内で、四つの対８６−８９のワイヤ９２−９９を支持している。四つのワイヤ対は、ケーブル鞘の端部７３から延びている。各ワイヤ対は、第二挿入部６１のチャネル６５−６８の一つを通過し、第一挿入部５１の通路５３を通過して、プラグハウジングの内部チャンバ２４内の断熱接触部３１と第一挿入部に達する。本発明は、複数のワイヤ対を支持するケーブルに応用することができる。
【００２９】
図８及び図１８に示される、ケーブル鞘７１内の第三挿入部８１、すなわちワイヤスペーサ、は、ケーブル鞘の内部を四つの分離部分１０１−１０４に分割する。その全体が参照として本願に含まれるMilner et al.による米国特許番号６，２５０，９５１に開示されているような、適したあらゆるワイヤスペーサを用いることができる。また、ワイヤ鞘７１はケーブル鞘の全体に沿って延在する第三挿入部とともに予め組み立てられて用いられても良い。図１に示すように、第三挿入部８１はケーブル鞘７１の端部７３と同一平面になっているため、ケーブル鞘と第三挿入部を第二挿入部６１の後端６３に容易に隣接させることができる。また、第二挿入部６１の後端６３がケーブル鞘内の第三挿入部と隣接するよう、第三挿入部８１はケーブル鞘７１内に端部があってもよい。第三挿入部８１は中心コア８０を有し、当該中心コア８０から、四つのレッグ８２−８５がケーブル鞘に向かった外方に延在している。第三挿入部８１の隣接するレッグは互いに直行しおり、すなわち、例えば、レッグ８２は、レッグ８３，８５の各々に直行している。レッグ８２−８５は、ワイヤがケーブル鞘内の一つの区画から他の区画へ通過することを防ぐだけ十分長いが、レッグは、ケーブル鞘に接触するほど長い必要はない。図８に示すように、第三挿入部８１は、略Ｘ形状になっているが、ケーブル鞘７２内のワイヤ対の分離を維持することができるなら、あらゆる適切な形状のものを用いてもよく、例えば、ケーブル鞘を二区画に分断する略Ｈ形状の挿入部や平面挿入部のようなものを用いてもよい。
【００３０】
図１８に示すように、ケーブル７１は四つのワイヤ対を支持している。第一ワイヤ対８６は、ケーブル鞘７２内の第一区画１０１で、ワイヤ９２，９３を含んでいる。第二ワイヤ対８７は、ケーブル鞘７２内の第二区画１０２で、ワイヤ９４，９５を含んでいる。第三ワイヤ対８８は、ケーブル鞘７２内の第三区画１０３で、ワイヤ９６，９７を含んでいる。第四ワイヤ対８９は、ケーブル鞘７２内の第四区画で、ワイヤ９８，９９を含んでいる。各ワイヤ対は、ケーブル７１の軸長さに沿ってねじれていることが好ましい。
【００３１】
本発明の第二の実施の形態によると、図３に示すように、コネクタ１１１とともに外方被覆１２１が用いられても良い。外方被覆１２１は、第一挿入部５１、第二挿入部６１及びケーブル７１の一部を覆うことが好ましい。外方被覆１２１は、プラグハウジング２１の内部チャンバ２４内に収容され、ケーブル端部７３後方のケーブル鞘７２上で端部になっている。外方被覆１２１は、コネクタ１１１に対するひずみを和らげるため、ケーブル７１がプラグハウジング２１の後端２３で屈曲したり、内部部材やワイヤがひずんだりすることを防止することができる。外方被覆１２１によっても、ケーブル鞘７２とプラグハウジング２１の間は、固定連結される。外方被覆１２１は低温、低圧外方被覆であることが好ましい。図１９及び図２０に示すように、コネクタ１１１が後方に引っ張られるときに、その領域にある他のケーブル、導管、ワイヤ、部材又は他の同様の装置上で、ラッチ２９を妨げるのを防止する突起部１２３を有してもよい。突起部１２３によって、ラッチを妨げたり、コネクタにダメージを与える可能性があったりすることについて悩むことなく、コネクタを後方に引っ張ることができる。突起部１２３は、外方被覆１２１と一体に形成され、突起部がコネクタ１１１の幅を過度に拡張しないよう、狭い外形を維持することが好ましい。
【００３２】
プラグハウジング、第一挿入部及び第二挿入部は、プラスチック材料のような非伝導性材料からなることが好ましい。プラスチック材料は、ポリカーボネート材料のように、誘電材料からなることが好ましい。
組立及び分解
【００３３】
本発明の第一の実施の形態によるコネクタ１１は、図１において、分解された状態で示され、図２において、組み立てられた状態で示されている。プラグハウジング２１の内部チャンバ２４内の第一及び第二挿入部は、コネクタ内の漏話を好ましいレベルに効率よくするため、ワイヤやワイヤ対の長さや位置をコントロールする。
【００３４】
ケーブル鞘７２の端部７３から現れるねじれた四つのワイヤ対は、対になった構成で維持されている。二つのワイヤ対は、ケーブル鞘の長さ方向の外方において、ねじれていないことが好ましい。しかしながら、これらの二つのワイヤ対は、好ましい漏話のレベルに応じて、ケーブル鞘の外方で、ねじれていない状態からねじれの程度を変えながら変化してもよい。残りの二つのワイヤ対は、ねじれた構成で維持されている。漏話のレベルは、ワイヤ対の程度と形状の程度によってコントロールされる。
【００３５】
例えば、典型的なCat.6 とCat.6パッチコードにおいて、ケーブル内に四つのワイヤ対がある。第一ワイヤ８６はねじれたブルーワイヤとブルー／ホワイトワイヤである。第二ワイヤ８７はねじれたオレンジワイヤとオレンジ／ホワイトワイヤである。第三ワイヤ８８はねじれたグリーンワイヤとグリーン／ホワイトワイヤである。第四ワイヤ８９はねじれたブラウンワイヤとブラウン／ホワイトワイヤである。ブルーとブルー／ホワイトワイヤ対と、グリーンとグリーン／ホワイトワイヤ対は、ケーブル鞘７２の端部７３を超えて延在しているワイヤの長さ方向に沿って、ねじれていない。オレンジとオレンジ／ホワイトワイヤ対と、ブラウンとブラウン／ホワイトワイヤ対は、ケーブル鞘７２の端部７３を超えて延在しているワイヤの長さ方向に沿って、ねじれた構成を維持している。
【００３６】
次に、ワイヤ対の各々は、第二挿入部６１の後端６３で分離したチャネル６５−６８内に挿入される。ねじれた構成のワイヤは、外部チャネル６５，６８内に配置されている。ねじれていない構成のワイヤは、内部チャネル６６，６７内に配置されている。次に、第二挿入部６１は、ケーブル鞘の端部７３が第二挿入部のショルダー９０，９１に隣接するまで、ワイヤの長さ方向に沿ってスライドする。これは、ケーブル鞘７２の端部７３から第一挿入部５１までのワイヤの長さをコントロールする。例えば、ねじれたオレンジとオレンジ／ホワイトワイヤ対は、チャネル６５を通過する。ねじれていないグリーンとグリーン／ホワイトワイヤ対は、内部上方チャネル６６を通過する。ねじれていないブルーとブルー／ホワイトワイヤ対は、内部下方チャネル６７を通過する。ねじれたブラウンとブラウン／ホワイトワイヤ対は、外部チャネル６８を通過する。二つのねじれたワイヤ対は第二挿入部の先端６２を超えた領域ではねじれていないが、第二挿入部６１を通過するケーブル端７３からはねじれている。外部チャネル６５，６８と、下方内部チャネル６７によって、三つのワイヤ対が第二挿入部６１の軸方向に沿って略平行に、そこを通過できることが好ましい。
【００３７】
第二挿入部のワイヤ対を配置したり、スペースを設けたりすることによって、第二挿入部の長さ方向にわたる連結（coupling）や漏話をコントロールし、漏話を好ましい量にすることができる。漏話を好ましいレベルにするために、内部上方および下方チャネル６６，６７内に、ねじれていない状態でワイヤ対を通し、また、これらの対と他のワイヤ対との間の漏話の量を減らすために、外部チャネル６５，６８内に、ねじれた状態で通すことによって、これは特に容易になる。第二挿入部の誘電材料、長さおよび壁厚によって、漏話を好ましいレベルにするための誘導的で容量性な連結（coupling）を好ましいレベルにさらに容易にすることができる。
【００３８】
次に、第一挿入部は、ワイヤが第一挿入部の通路内に入るように、第二挿入部の前端６２を超えて延在する四つのワイヤ対全体上をスライドする。第一挿入部５１の傾斜部５８（図１および図１２）は、ワイヤ対を、第一挿入部の前端５２の前まで、上方内部チャネル６６から第一挿入部の軸方向に沿って略平行、略同平面に容易に配置させて延在させる。第一挿入部５１は、第一挿入部の後端５４が第二挿入部の前端６２に概ね隣接するまでスライドすることが好ましい。図１２に示すように、通路５３は、各ワイヤが各々に対応する谷内で第一挿入部を通過して延在するよう、八つの谷１９Ａ−１９Ｈを有している。例えば、ねじれたオレンジとオレンジ／ホワイトワイヤ対は、チャネル６５から分離され、第一挿入部の谷１９Ａ，１９Ｂに沿って通過している。ねじれていないブルーとブルー／ホワイトワイヤ対は、下方チャネル６７から谷１９Ｃ，１９Ｄに沿って通過している。ねじれていないグリーンとグリーン／ホワイトワイヤ対は、内部上方チャネル６６から傾斜部５８によって下方に傾斜し、谷１９Ｅ，１９Ｆに沿って通過している。ねじれたブラウンとブラウン／ホワイトワイヤ対は、外部チャネル６８から谷１９Ｇ，１９Ｈに沿って通過している。
【００３９】
ワイヤ９２−９９が第一挿入部５１の前端５２に達すると、ワイヤは第一挿入部の谷１９Ａ−１９Ｈを通過して略直線つまり軸方向に配置され、すなわち、ワイヤは略同平面になっている。第一挿入部５１の前端５２を超えて延在しているワイヤの一部は、第一挿入部の前端で切断される。次に、第一挿入部は、第一挿入部の前端５２がプラグハウジングの前端２２に隣接するまで、プラグハウジング２１の内部チャンバ２４内に挿入される。
【００４０】
次に、断熱配置接触部４１は、図１の挿入位置から、図２及び図３の係合位置まで挿入される。断熱配置接触部は、各接触部がワイヤの一つと係合し、貫通して機械的および電気的接触をするように、下方に押圧され、プラグハウジング２１内のスロット３１を通過して、第一挿入部内で対応して配列された開口５７を通過する。
【００４１】
本発明の第２の実施の形態によるコネクタ１２１は、組み立てられた状態が図３に示されている。コネクタを形成する工程は、概ね同一である。しかしながら、プラグハウジングの内部チャンバ内に第一挿入部を挿入する前に、外方被覆１２１が形成される。開口５７の後方にある第一挿入部５１の一部、第二挿入部６１およびケーブル７１の一部の周りに外方被覆が形成されている。外方被覆１２１によって、ケーブル鞘７２と第一挿入部５１との間を容易に安全に連結することができ、第二挿入部６１はその間に挟まれている。外方被覆１２１は、漏話をコントロールするために、ワイヤ対の間の連結を好ましいレベルにさらに誘発する、より高い誘電材料からなることが好ましい。外方被覆１２１も、ひずみを解消し、屈曲半径コントロール構造として作用する。
【００４２】
本発明を示すために好ましい実施の形態が選ばれたが、添付された請求項で定義される発明の範囲から離れることなく、様々な変更や修正をしてもよいことは、本技術分野の当業者によれば理解されるであろう。
【図面の簡単な説明】
【００４３】
出願当初の開示の一部を構成する図面を参照とする。
【図１】様々な部分が異なる大きさで図示された、本発明による分解された通信システム用コネクタの断面の分解側面図。
【図２】図１を組み立てた通信システム用コネクタの断面の側面図。
【図３】外方被覆をさらに含む、図１の通信システム用コネクタの部分断面の側面図。
【図４】プラグハウジングの側面図。
【図５】図４のプラグハウジングの上方平面図。
【図６】図４のプラグハウジングの正面図。
【図７】断熱配置接触部の側面図。
【図８】ケーブル鞘に用いるワイヤスペーサ挿入部の斜視図。
【図９】プラグハウジングに用いるスレッド挿入部の斜視図。
【図１０】図９のスレッド挿入部の側面図。
【図１１】図９のスレッド挿入部の上方平面図。
【図１２】図９のスレッド挿入部の正面図。
【図１３】プラグハウジングに用いるワイヤ案内挿入部の斜視図。
【図１４】図１３のワイヤ案内挿入部の正面図。
【図１５】図１３のワイヤ案内挿入部の背面図。
【図１６】図１３のワイヤ案内挿入部の上方平面図。
【図１７】図１３のワイヤ案内挿入部の側面図。
【図１８】四つのワイヤ対とともに、ケーブル鞘内のワイヤスペーサ挿入部を示すケーブルの前方平面図。
【図１９】プラグハウジング上でラッチが妨げることを防ぐ突起部を有する外方被覆を有するコネクタの斜視図。
【図２０】図１９のコネクタの側面図。
【図１】
2007518245.tif 000003
【図２】
2007518245.tif 000004
【図３】
2007518245.tif 000005
【図４】
2007518245.tif 000006
【図５】
2007518245.tif 000007
【図６】
2007518245.tif 000008
【図７】
2007518245.tif 000009
【図８】
2007518245.tif 000010
【図９】
2007518245.tif 000011
【図１０】
2007518245.tif 000012
【図１１】
2007518245.tif 000013
【図１２】
2007518245.tif 000014
【図１３】
2007518245.tif 000015
【図１４】
2007518245.tif 000016
【図１５】
2007518245.tif 000017
【図１６】
2007518245.tif 000018
【図１７】
2007518245.tif 000019
【図１８】
2007518245.tif 000020
【図１９】
2007518245.tif 000021
【図２０】
2007518245.tif 000022
【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
通信システム用コネクタにおいて、
前端および後端と、前記後端で開口するとともにハウジング壁によって規定された内部チャンバと、前記前端に隣接する前記ハウジング壁の一つを通過して前記内部チャンバ内まで延在する複数のスロットとを有するプラグハウジングと、
前記内部チャンバから離間した待機位置と、前記内部チャンバ内まで延在する挿入位置との間を動くよう、前記スロット内に取り付けられた、複数の断熱配置接触部と、
前記内部チャンバ内に配置され、前記プラグハウジングの前記前端近傍の前端と、前端から後端まで延在する第一通路と、前記前端に隣接し、前記プラグハウジング内の前記複数のスロットに並んで配列され、前記第一通路内まで延在する第一挿入壁内の複数の開口とを有する第一挿入部と、
前記内部チャンバ内に配置され、前記第一挿入部の後端近傍の前端を有し、後端から前記前端まで延びる第一、第二、第三および第四チャネルを有する第二挿入部と、
ケーブル鞘から延在し、各々が前記第二挿入部の前記第一、第二、第三および第四チャネルの一つを通過し、前記第一通路を通過して、前記内部チャンバ内の前記断熱配置接触部まで達する四つのワイヤ対と、
を備えたことを特徴とする通信システム用コネクタ。
【請求項２】
前記プラグは、ＲＪ−４５からなることを特徴とする請求項１記載の通信システム用コネクタ。
【請求項３】
第二挿入部の前記後端は、前記プラグハウジングの後端を超えて延在することを特徴とする請求項１記載の通信システム用コネクタ。
【請求項４】
前記第二挿入部の前記後端は、前記プラグハウジングの前記内部チャンバ内にあることを特徴とする請求項１記載の通信システム用コネクタ。
【請求項５】
前記プラグハウジングから延在するラッチが、前記プラグハウジングの前記後端を超えて延在することを特徴とする請求項１記載の通信システム用コネクタ。
【請求項６】
第三挿入部が、前記ケーブル鞘内で四つの区画を提供するよう、ケーブル鞘内に配置されることを特徴とする請求項１記載の通信システム用コネクタ。
【請求項７】
前記第二挿入部の前記第一、第二、第三および第四チャネルは、略平行であることを特徴とする請求項１記載の通信システム用コネクタ。
【請求項８】
前記第二および第三チャネルは、前記第一および第二チャネルの間にあることを特徴とする請求項１記載の通信システム用コネクタ。
【請求項９】
前記第二チャネルは、前記第三チャネルの上方にあることを特徴とする請求項１記載の通信システム用コネクタ。
【請求項１０】
外方被覆が、前記第一挿入部の第一部分、前記第二挿入部および前記ケーブル鞘の第二部分の周りに配置されることを特徴とする請求項１記載の通信システム用コネクタ。
【請求項１１】
前記外方被覆は、低温、低圧外方被覆からなることを特徴とする請求項１０記載の通信システム用コネクタ。
【請求項１２】
前記四つのワイヤ対の各ワイヤは、前記プラグハウジングの前記前端で、略軸方向に配置されることを特徴とする請求項１記載の通信システム用コネクタ。
【請求項１３】
内方ワイヤ対および外方ワイヤ対は、前記第二挿入部をねじれて貫通し、
第一および第二内方ワイヤ対は前記第二挿入部をねじれないで貫通することを特徴とする請求項１２記載の通信システム用コネクタ。
【請求項１４】
前記第一および第二挿入部は、非伝導性材料からなることを特徴とする請求項１記載の通信システム用コネクタ。
【請求項１５】
前記第一および第二挿入部は、誘電材料からなることを特徴とする請求項１記載の通信システム用コネクタ。
【請求項１６】
前記第一挿入部および第二挿入部は、ポリカーボネート材料からなることを特徴とする請求項１記載の通信システム用コネクタ。
【請求項１７】
前記ケーブル鞘は、前記第二挿入部の前記後端近傍の前記第二挿入部上のショルダーに隣接することを特徴とする請求項１記載の通信システム用コネクタ。
【請求項１８】
前記ケーブル鞘は、前記第二挿入部の前記後端に隣接することを特徴とする請求項１記載の通信システム用コネクタ。
【請求項１９】
通信システム用コネクタにおいて、
内部通路内に四つのねじれたワイヤ対を含むケーブル鞘と、
前記ケーブル鞘内で、前記ケーブル鞘の内部通路を四つの区画に分割し、各区画が前記四つのねじれたワイヤ対の一対を含む第三挿入部と、
前端および後端と、前記後端で開口するとともにハウジング壁によって規定された内部チャンバと、前記前端に隣接する前記ハウジング壁の一つを通過して前記内部チャンバ内まで延在する複数のスロットとを有するプラグハウジングと、
前記内部チャンバから離間した待機位置と、前記内部チャンバ内まで延在する挿入位置との間を動くよう、前記スロット内に取り付けられた、複数の断熱配置接触部と、
前記内部チャンバ内に配置され、前記プラグハウジングの前記前端近傍の前端と、前端から後端まで延在する第一通路と、前記前端に隣接し、前記プラグハウジング内の前記複数のスロットに並んで配列され、前記第一通路内まで延在する第一挿入壁内の複数の開口とを有する第一挿入部と、
前記内部チャンバ内に配置され、前記第一挿入部の後端近傍の前端を有し、前記前端から後端まで延びる第一、第二、第三および第四チャネルを有し、前記ケーブル鞘が後端に隣接する第二挿入部と、
前記第二挿入部の前記第一、第二、第三および第四チャネルを通過し、前記第一挿入部の前記第一通路を通過して前記内部チャンバ内の前記断熱配置接触部まで達する各ワイヤ対と、
前記第一挿入部の第一部、前記第二挿入部および前記ケーブル鞘の第二部分の周りに配置された外方被覆と、
を備えたことを特徴とする通信システム用コネクタ。
【請求項２０】
前記ケーブル鞘は、前記プラグハウジング外方であって、前記第二挿入部の前記後端に隣接することを特徴とする請求項１９記載の通信システム用コネクタ。
【請求項２１】
前記ケーブル鞘は、前記プラグハウジングの前記内部チャンバ内で、前記第二挿入部の前記後端に隣接することを特徴とする請求項１９記載の通信システム用コネクタ。
【請求項２２】
前記ケーブル鞘は、前記プラグハウジングの前記第二挿入部外方の前記後端近傍のショルダーに隣接することを特徴とする請求項１９記載の通信システム用コネクタ。
【請求項２３】
前記プラグは、ＲＪ−４５からなることを特徴とする請求項１９記載の通信システム用コネクタ。
【請求項２４】
前記プラグハウジングから延在するラッチが、前記プラグハウジングの前記後端を超えて延在することを特徴とする請求項１９記載の通信システム用コネクタ。
【請求項２５】
前記第二挿入部の前記第一、第二、第三および第四チャネルは、略平行であることを特徴とする請求項１９記載の通信システム用コネクタ。
【請求項２６】
前記第二および第三通路は、前記第一および第二チャネルの間にあることを特徴とする請求項１９記載の通信システム用コネクタ。
【請求項２７】
前記第二チャネルは、前記第三チャネルの上方にあることを特徴とする請求項１９記載の通信システム用コネクタ。
【請求項２８】
前記四つのワイヤ対の各ワイヤは、前記プラグハウジングの前記前端で、略軸方向に配置されることを特徴とする請求項１９記載の通信システム用コネクタ。
【請求項２９】
内方ワイヤ対および外方ワイヤ対は、前記第二挿入部をねじれて貫通し、
第一および第二内方ワイヤ対は前記第二挿入部をねじれないで貫通することを特徴とする請求項２８記載の通信システム用コネクタ。
【請求項３０】
前記第一および第二挿入部は、非伝導性材料からなることを特徴とする請求項１９記載の通信システム用コネクタ。
【請求項３１】
前記第一挿入部および第二挿入部は、ポリカーボネート材料からなることを特徴とする請求項１９記載の通信システム用コネクタ。
【請求項３２】
前記第一および第二挿入部は、誘電材料からなることを特徴とする請求項１９記載の通信システム用コネクタ。
【請求項３３】
前記第二挿入部の前記後端は、前記ケーブル鞘内まで延びることを特徴とする請求項２２記載の通信システム用コネクタ。
【請求項３４】
前記外方被覆は、低温、低圧外方被覆からなることを特徴とする請求項２２記載の通信システム用コネクタ。
【請求項３５】
前記外方被覆は、前記プラグハウジング上のラッチを妨げることを防止する外方に延在する突起部を有することを特徴とする請求項２２記載の通信システム用コネクタ。
【請求項３６】
前記第三挿入部は略Ｘ形状からなることを特徴とする請求項２２記載の通信システム用コネクタ。
【請求項３７】
通信システム用コネクタを作るためのキットにおいて、
前端および後端と、前記後端で開口するとともにハウジング壁によって規定された内部チャンバと、前記前端に隣接する前記ハウジング壁の一つを通過して前記内部チャンバ内まで延在する複数のスロットとを有するプラグハウジングと、
前記内部チャンバから離間した待機位置と、前記内部チャンバ内まで延在する挿入位置との間を動くよう、前記スロット内に取付可能な複数の断熱配置接触部と、
前記内部チャンバ内に配置することができ、前記プラグハウジングの前記前端近傍の前端と、前端から後端まで延在する第一通路と、前記前端近傍に配置することができ、前記プラグハウジング内の前記複数のスロットと並んで配列され、前記第一通路内まで延在する第一挿入壁内の複数の開口とを有する第一挿入部と、
前記第一挿入部の後端近傍の前端を有するよう前記内部チャンバ内に配置可能であり、前記前端から前記後端まで延びる第一、第二、第三および第四チャネルを有し、前記ケーブル鞘が前記プラグハウジング外方であって、前記後端近傍のショルダーに対して隣接可能である第二挿入部と、
を備えたことを特徴とするキット。
【請求項３８】
前記プラグは、ＲＪ−４５からなることを特徴とする請求項３７記載の通信システム用コネクタ。
【請求項３９】
前記第二挿入部の後端は、前記プラグハウジングの後端を超えて延在することを特徴とする請求項３７記載の通信システム用コネクタ。
【請求項４０】
前記プラグハウジングから延在するラッチが、前記プラグハウジングの前記後端を超えて延在することを特徴とする請求項３７記載の通信システム用コネクタ。
【請求項４１】
前記第二挿入部の前記第一、第二、第三および第四チャネルは、略平行であることを特徴とする請求項３７記載の通信システム用コネクタ。
【請求項４２】
前記第二および第三チャネルは、前記第一および第二チャネルの間にあることを特徴とする請求項３７記載の通信システム用コネクタ。
【請求項４３】
前記第二チャネルは、前記第三チャネルの上方にあることを特徴とする請求項３７記載の通信システム用コネクタ。
【請求項４４】
前記第一および第二挿入部は、非伝導性材料からなることを特徴とする請求項１記載の通信システム用コネクタ。
【請求項４５】
前記第一挿入部および第二挿入部は、ポリカーボネート材料からなることを特徴とする請求項１記載の通信システム用コネクタ。
【請求項４６】
前記第一および第二挿入部は、誘電材料からなることを特徴とする請求項１記載の通信システム用コネクタ。
【請求項４７】
通信システム用コネクタにおいて、
内部通路内に四つのねじれたワイヤ対を含むケーブル鞘と、
前記ケーブル鞘内で、前記ケーブル鞘の内部通路を四つの区画に分割し、各区画がねじれたワイヤ対の一対を含む第三挿入部と、
前端および後端と、前記後端で開口するとともにハウジング壁によって規定された内部チャンバと、前記前端に隣接する前記ハウジング壁の一つを通過して前記内部チャンバ内まで延在する複数のスロットとを有するプラグハウジングと、
前記内部チャンバから離間した待機位置と、前記内部チャンバ内まで延在する挿入位置との間を動くよう、前記スロット内に取り付けられた、複数の断熱配置接触部と、
前記内部チャンバ内に配置され、前記プラグハウジングの前記前端近傍の前端と、前端から後端まで延在する第一通路と、前記前端に隣接し、前記プラグハウジング内の前記複数のスロットに並んで配列され、前記第一通路内まで延在する第一挿入壁内の複数の開口とを有する第一挿入部と、
前記内部チャンバ内に配置され、前記第一挿入部の後端近傍の前端を有し、前記前端から後端まで延びる第一、第二、第三および第四チャネルを有し、前記ケーブル鞘が前記後端に隣接する第二挿入部と、
前記第二挿入部の前記第一、第二、第三および第四チャネルを通過し、前記第一挿入部の前記第一通路を通過して前記内部チャンバ内の前記断熱配置接触部まで達し、前記第一および第四チャネルをねじれて通過し、前記第二および第三チャネルをねじれないで通過し、前記第一挿入部内の前記第一通路をねじれないで通過する各ワイヤ対と、
前記第一挿入部の第一部、前記第二挿入部および前記ケーブル鞘の第二部分の周りに配置された外方被覆と、
を備えたことを特徴とする通信システム用コネクタ。
【請求項４８】
前記プラグは、ＲＪ−４５からなることを特徴とする請求項４７記載の通信システム用コネクタ。
【請求項４９】
前記プラグハウジングから延在するラッチが、前記プラグハウジングの前記後端を超えて延在することを特徴とする請求項４７記載の通信システム用コネクタ。
【請求項５０】
前記ケーブル鞘は、前記プラグハウジングの前記内部チャンバ内で、第二挿入部の後端に隣接することを特徴とする請求項４７記載の通信システム用コネクタ。
【請求項５１】
前記ケーブル鞘は、前記プラグハウジングの第二挿入部の後端に、外方で隣接することを特徴とする請求項４７記載の通信システム用コネクタ。
【請求項５２】
前記第二挿入部の前記第一、第二、第三および第四チャネルは、略平行であることを特徴とする請求項４７記載の通信システム用コネクタ。
【請求項５３】
前記第二および第三チャネルは、前記第一および第二チャネルの間にあることを特徴とする請求項４７記載の通信システム用コネクタ。
【請求項５４】
前記第二チャネルは、前記第三チャネルの上方にあることを特徴とする請求項４７記載の通信システム用コネクタ。
【請求項５５】
前記四つのワイヤ対の各ワイヤは、前記プラグハウジングの前記前端で、略軸方向に配置されることを特徴とする請求項４７記載の通信システム用コネクタ。
【請求項５６】
前記第一および第二挿入部は、非伝導性材料からなることを特徴とする請求項４７記載の通信システム用コネクタ。
【請求項５７】
前記第一挿入部および第二挿入部は、ポリカーボネート材料からなることを特徴とする請求項４７記載の通信システム用コネクタ。
【請求項５８】
前記第一および第二挿入部は、誘電材料からなることを特徴とする請求項４７記載の通信システム用コネクタ。
【請求項５９】
前記ケーブル鞘は、前記第二挿入部の前記後端近傍の前記第二挿入部上のショルダーに隣接することを特徴とする請求項４７記載の通信システム用コネクタ。
【請求項６０】
前記外方被覆は、低温、低圧外方被覆からなることを特徴とする請求項４７記載の通信システム用コネクタ。
【請求項６１】
前記外方被覆は、前記プラグハウジング上のラッチを妨げることを防止する外方に延在する突起部を有することを特徴とする請求項４７記載の通信システム用コネクタ。
【請求項６２】
前記第三挿入部は、略Ｘ形状からなることを特徴とする請求項４７記載の通信システム用コネクタ。
【請求項６３】
通信システム用プラグの組立方法において、
ねじれていない状態から十分にねじれた状態まで範囲で、ねじれの程度を選択することによって、ケーブル鞘から延在する四つのねじれたワイヤ対のうち二つをコントロールする工程と、
ねじれた二つのワイヤ対と、コントロールされた二つのワイヤ対の各々を、第二挿入部内のチャネルで通過させる工程と、
四つのねじれていないワイヤ対を形成するよう、ねじれたワイヤのねじれを解く工程と、
ねじれていないワイヤの各々を、第一挿入部の通路内の谷で通過させる工程と、
第一挿入部を、プラグハウジングの内部チャンバ内に挿入する工程と、
スロットを有する第一挿入部内の開口を、プラグハウジング内に配列する工程と、
断熱配置接触部を、プラグハウジング内のスロットおよび第一挿入部内の配列した開口の一つを通過して挿入させることによって、断熱配置接触部を各ワイヤと係合させる工程と、
を備えたことを特徴とする通信システム用プラグの組立方法。
【請求項６４】
ねじれた二つのワイヤ対と、コントロールされた二つのワイヤ対の各々を、第二挿入部内のチャネルで通過させる工程は、コントロールされた二つのワイヤ対を内部チャンバで通過させる工程と、ねじれた二つのワイヤ対を外部チャネルで通過させる工程とを有することを特徴とする請求項６３記載の通信システム用プラグの組立方法。
【請求項６５】
ワイヤの各々を、第一挿入部の通路内の谷で通過させる工程は、ワイヤが略軸方向に配列するよう、各ワイヤを谷で通過させる工程を有することを特徴とする請求項６３記載の通信システム用プラグの組立方法。
【請求項６６】
ケーブル鞘の内部通路を四つの区画に分割するよう、第三挿入部をケーブル鞘内で通過させる工程と、
四つのねじれたワイヤ対の各対を、ケーブル鞘内の四つの区画の一つで通過させる工程と、
をさらに備えたことを特徴とする請求項６３記載の通信システム用プラグの組立方法。
【請求項６７】
第二挿入部の後端をケーブル鞘に隣接する工程をさらに備えたことを特徴とする請求項６３記載の通信システム用プラグの組立方法。
【請求項６８】
第一挿入部の後端を、前記第二挿入部の前端に実質的に隣接させる工程をさらに備えたことを特徴とする請求項６３記載の通信システム用プラグの組立方法。
【請求項６９】
通信システム用コネクタにおいて、
ケーブル鞘とプラグハウジングの間を延在し、ケーブル鞘とプラグハウジングを部分的に覆う外方被覆と、
前記プラグハウジングから延在するラッチと、
前記ラッチが妨げることを防ぐよう、外方被覆から外方に延在する突起部と
を備え、
前記突起部の全体が、前記ラッチの後方に配置されたことを特徴とする通信システム用コネクタ。
【請求項７０】
前記突起部は、前記外方被覆と一体に形成されることを特徴とする請求項６９記載の通信システム用コネクタ。
【請求項７１】
前記外方被覆は、低温、低圧外方被覆からなることを特徴とする請求項６９記載の通信システム用コネクタ。
【請求項７２】
前記第一通路は、前記前端と前記後端との間に延在する前記第一挿入部の外壁間で連続的であり、途切れないことを特徴とする請求項１記載の通信システム用コネクタ。
【請求項７３】
前記第一通路は、前記前端と前記後端との間に延在する前記第一挿入部の外壁間で連続的であり、途切れないことを特徴とする請求項３７記載の通信システム用コネクタ。
【国際調査報告】
2007518245.tif 000023